(57)【特許請求の範囲】
【請求項１】
通信装置の制御方法であって、
他の通信装置を検出する検出工程と、
通信パラメータを共有するための設定モードの他の通信装置の検出数に応じて、前記通信装置は重複通知を送信する送信工程と、を有することを特徴とする通信装置の制御方法。
【請求項２】
前記通信装置は、前記設定モードの他の通信装置を複数検出すると、前記重複通知を送信することを特徴とする請求項１に記載の通信装置の制御方法。
【請求項３】
前記通信装置は、前記設定モードの基地局を複数検出すると、前記重複通知を送信することを特徴とする請求項１または請求項２に記載の通信装置の制御方法。
【請求項４】
前記通信装置は、前記設定モードを前記重複通知後に終了することを特徴とする請求項１乃至請求項３のいずれか１項に記載の通信装置の制御方法。
【請求項５】
検出された前記設定モードの他の通信装置が１つの場合、通信パラメータを共有するための処理を該検出された他の通信装置と行うことを特徴とする請求項１乃至請求項４のいずれか１項に記載の通信装置の制御方法。
【請求項６】
前記設定モードの他の通信装置が１つも検出されない場合、前記重複通知を送信することなく、前記設定モードを終了することを特徴とする請求項１乃至請求項５のいずれか１項に記載の通信装置の制御方法。
【請求項７】
前記通信装置は、前記通信パラメータを管理する管理装置であることを特徴とする請求項１乃至請求項５のいずれか１項に記載の通信装置の制御方法。
【請求項８】
前記通信装置は、前記通信パラメータを他の通信装置に提供する管理装置であることを特徴とする請求項１乃至請求項５のいずれか１項に記載の通信装置の制御方法。
【請求項９】
前記送信工程において、前記重複通知を、通信パラメータを受信する受信装置に送信することを特徴とする請求項１乃至８のいずれか１項に記載の通信装置の制御方法。
【請求項１０】
前記送信工程において、前記重複通知を、通信パラメータを受信する受信装置に、基地局を介して送信することを特徴とする請求項１乃至９のいずれか１項に記載の通信装置の制御方法。
【請求項１１】
前記送信工程において、前記重複通知を、通信パラメータを受信する受信装置に、ＩＥＥＥ８０２．１１準拠の無線通信を介して送信することを特徴とする請求項１乃至１０のいずれか１項に記載の通信装置の制御方法。
【請求項１２】
前記通信装置は、無線通信を行うための通信パラメータを他の通信装置に提供する管理装置であることを特徴とする請求項１乃至１１の何れかに記載の通信装置の制御方法。
【請求項１３】
前記通信装置は、ＳＳＩＤ（Ｓｅｒｖｉｃｅ  Ｓｅｔ  Ｉｄｅｎｔｉｆｉｅｒ）、暗号方式、暗号鍵の少なくともいずれか一つを含む通信パラメータを他の通信装置に提供する管理装置であることを特徴とする請求項１乃至１２のいずれか１項に記載の通信装置の制御方法。
【請求項１４】
前記通信装置は、ＳＳＩＤ（Ｓｅｒｖｉｃｅ  Ｓｅｔ  Ｉｄｅｎｔｉｆｉｅｒ）、暗号方式、暗号鍵を含む通信パラメータを他の通信装置に提供する管理装置であることを特徴とする請求項１乃至１３のいずれか１項に記載の通信装置の制御方法。
【請求項１５】
前記通信装置は、設定ボタンの押下の検出に応じて、通信パラメータを共有するための設定モードになることを特徴とする請求項１乃至１４のいずれか１項に記載の通信装置の制御方法。
【請求項１６】
前記重複通知は、設定ボタンの押下の検出に応じて開始される通信パラメータを共有するための処理における通信セッションが複数検出されたことを示す通知であることを特徴とする請求項１乃至１５のいずれか１項に記載の通信装置の制御方法。
【請求項１７】
通信装置であって、
他の通信装置を検出する検出手段と、
通信パラメータを共有するための設定モードの他の通信装置の検出数に応じて、重複通知を送信する送信手段と、
を有することを特徴とする通信装置。
【請求項１８】
前記通信装置は、前記設定モードの他の通信装置を複数検出すると、前記重複通知を送信することを特徴とする請求項１７に記載の通信装置。
【請求項１９】
前記送信手段は、前記設定モードの基地局を複数検出すると、前記重複通知を送信することを特徴とする請求項１７または請求項１８に記載の通信装置。
【請求項２０】
前記重複通知の後に、前記設定モードを終了する第１終了手段を有することを特徴とする請求項１７乃至請求項１９のいずれか１項に記載の通信装置。
【請求項２１】
検出された前記設定モードの他の通信装置が１つの場合、通信パラメータを共有するための処理を該検出された他の通信装置と行う設定手段を有することを特徴とする請求項１７乃至請求項２０のいずれか１項に記載の通信装置。
【請求項２２】
前記設定モードの他の通信装置が１つも検出されない場合、前記重複通知を送信することなく、前記設定モードを終了する第２終了手段を有することを特徴とする請求項１７乃至請求項２１のいずれか１項に記載の通信装置。
【請求項２３】
前記通信装置は、前記通信パラメータを管理する管理装置であることを特徴とする請求項１７乃至請求項２２のいずれか１項に記載の通信装置。
【請求項２４】
前記通信装置は、前記通信パラメータを他の通信装置に提供する管理装置であることを特徴とする請求項１７乃至請求項２３のいずれか１項に記載の通信装置。
【請求項２５】
前記送信手段は、前記重複通知を、通信パラメータを受信する受信装置に送信することを特徴とする請求項１７乃至２４のいずれか１項に記載の通信装置。
【請求項２６】
前記送信手段は、前記重複通知を、通信パラメータを受信する受信装置に、基地局を介して送信することを特徴とする請求項１７乃至２５のいずれか１項に記載の通信装置。
【請求項２７】
前記送信手段は、前記重複通知を、通信パラメータを受信する受信装置に、ＩＥＥＥ８０２．１１準拠の無線通信を介して送信することを特徴とする請求項１７乃至２６のいずれか１項に記載の通信装置。
【請求項２８】
前記通信装置は、無線通信を行うための通信パラメータを他の通信装置に提供する管理装置であることを特徴とする請求項１７乃至２７のいずれか１項に記載の通信装置。
【請求項２９】
前記通信装置は、ＳＳＩＤ（Ｓｅｒｖｉｃｅ  Ｓｅｔ  Ｉｄｅｎｔｉｆｉｅｒ）、暗号方式、暗号鍵の少なくともいずれか一つを含む通信パラメータを他の通信装置に提供する管理装置であることを特徴とする請求項１７乃至２８のいずれか１項に記載の通信装置。
【請求項３０】
前記通信装置は、ＳＳＩＤ（Ｓｅｒｖｉｃｅ  Ｓｅｔ  Ｉｄｅｎｔｉｆｉｅｒ）、暗号方式、暗号鍵を含む通信パラメータを他の通信装置に提供する管理装置であることを特徴とする請求項１７乃至２９のいずれか１項に記載の通信装置。
【請求項３１】
前記通信装置は、暗号方式、暗号鍵を含む通信パラメータを他の通信装置に提供する管理装置であることを特徴とする請求項１７乃至３０のいずれか１項に記載の通信装置。
【請求項３２】
前記通信装置は、設定ボタンへの操作の検出に応じて、通信パラメータを共有するための設定モードになることを特徴とする請求項１７乃至３１のいずれか１項に記載の通信装置。
【請求項３３】
前記重複通知は、設定ボタンへの操作に応じて開始される通信パラメータを共有するための処理における通信セッションが複数検出されたことを示す通知であることを特徴とする請求項１７乃至３２のいずれか１項に記載の通信装置。
【請求項３４】
通信装置を制御するためのプログラムであって、
前記プログラムは、
他の通信装置を検出する検出工程と、
通信パラメータを共有するための設定モードの他の通信装置の検出数に応じて、前記通信装置が重複通知を送信する送信工程と、をコンピュータに実行させることを特徴とするプログラム。
【請求項３５】
通信装置の制御方法であって、
他の通信装置を検出する検出工程と、
通信パラメータを共有するための設定モードの第１の他の通信装置と通信パラメータを共有するための設定モードの第２の他の通信装置とを検出し、検出された前記第１の他の通信装置の属するグループと前記第２の他の通信装置の属するグループとが異なる場合、重複通知を送信する送信工程と、を有することを特徴とする通信装置の制御方法。
【請求項３６】
通信装置の制御方法であって、
他の通信装置を検出する検出工程と、
第１の他の通信装置に設定されている通信パラメータと第２の他の通信装置に設定される通信パラメータが異なり、通信パラメータを共有するための設定モードの前記第１の他の通信装置と通信パラメータを共有するための設定モードの前記第２の他の通信装置とを検出した場合、前記通信装置は重複通知を送信する送信工程と、を有することを特徴とする通信装置の制御方法。
【請求項３７】
通信装置の制御方法であって、
他の通信装置を検出する検出工程と、
第１の他の通信装置が属するネットワークの通信パラメータと第２の他の通信装置が属するネットワークの通信パラメータとが異なり、通信パラメータを共有するための設定モードであることを通知している前記第１の他の通信装置と通信パラメータを共有するための設定モードであることを通知している前記第２の他の通信装置とを検出した場合、前記通信装置は重複通知を送信する送信工程と、を有することを特徴とする通信装置の制御方法。
【請求項３８】
通信装置であって、
信号を受信する受信手段と、
第１の他の通信装置が属するグループと第２の他の通信装置が属するグループとが異なり、通信パラメータを共有するための設定モードであること示す信号を送信している前記第１の他の通信装置と通信パラメータを共有するための設定モードであること示す信号を送信している前記第２の他の通信装置とを前記受信手段により受信した信号に基づいて検出した場合、重複通知を送信する送信手段と、を有することを特徴とする通信装置。
【請求項３９】
通信装置であって、
他の通信装置を検出する検出手段と、
第１の他の通信装置に設定されている通信パラメータと第２の他の通信装置に設定される通信パラメータが異なり、通信パラメータを共有するための設定モードの前記第１の他の通信装置と通信パラメータを共有するための設定モードの前記第２の他の通信装置とを検出した場合、重複通知を送信する送信手段と、を有することを特徴とする通信装置。
【請求項４０】
通信装置であって、
他の通信装置を検出する検出手段と、
第１の他の通信装置が属するネットワークの通信パラメータと第２の他の通信装置が属するネットワークの通信パラメータとが異なり、通信パラメータを共有するための設定モードであることを通知している前記第１の他の通信装置と通信パラメータを共有するための設定モードであることを通知している前記第２の他の通信装置とを検出した場合、重複通知を送信する送信手段と、を有することを特徴とする通信装置。
【請求項４１】
前記重複通知の後に、前記設定モードを終了する第１終了手段を有することを特徴とする請求項３８乃至請求項４０のいずれか１項に記載の通信装置。
【請求項４２】
前記設定モードの他の通信装置が１つも検出されない場合、前記重複通知を送信することなく、前記設定モードを終了する第２終了手段を有することを特徴とする請求項３８至請求項４１のいずれか１項に記載の通信装置。
【請求項４３】
検出された前記設定モードの他の通信装置が１つの場合、通信パラメータを共有するための処理を該検出された他の通信装置と行う設定手段を有することを特徴とする請求項３８乃至請求項４２のいずれか１項に記載の通信装置。
【請求項４４】
請求項１７乃至請求項３３、請求項３８乃至請求項４３のいずれか１項に記載の通信装置としてコンピュータを機能させることを特徴とするコンピュータプログラム。
【発明の詳細な説明】
【技術分野】
【０００１】
本発明は、通信パラメータを設定する際の技術に関する。
【背景技術】
【０００２】
無線通信を行うためには、様々な無線パラメータを機器に設定する必要がある。例えば、ＩＥＥＥ８０２．１１規格の無線ＬＡＮでは、ネットワーク識別子であるＳＳＩＤ、暗号方式、暗号鍵等の無線パラメータを設定する必要がある。
無線パラメータを無線機器に設定するためには、パーソナルコンピュータ（ＰＣ）と無線機器を有線接続し、ＰＣの操作により無線機器に無線パラメータを設定していた。無線ＬＡＮでは、アクセスポイントとなる基地局と、ユーザ端末としての無線端末があり、ユーザはこれらの機器を夫々ＰＣに接続し、設定を行う必要がある。
これら無線パラメータの無線機器への設定は煩雑であるため、無線パラメータの簡単な設定方法の実現が望まれている。
特許文献１には、無線パラメータを設定するためのボタン操作が行われた機器同士が自動的に無線接続し、無線接続時の操作を簡略化する構成が開示されている。
【先行技術文献】
【特許文献】
【０００３】
【特許文献１】特開２００４−３２８２８９号
【発明の概要】
【発明が解決しようとする課題】
【０００４】
ＰＣを用いて無線機器の設定を行う場合、複数のＰＣが存在するとユーザが望む無線パラメータを無線端末に設定できない場合がある。例えば、ＰＣ１を用いて基地局１に無線パラメータ１を設定し、ＰＣ２を用いて基地局２に無線パラメータ２を設定し、ＰＣ１、ＰＣ２は、設定した無線パラメータを記憶、管理している場合を考える。
【０００５】
無線端末を所有するユーザは、基地局１に設定されている無線パラメータを無線端末に設定したいとする。しかし、無線パラメータを記憶、管理するＰＣは２台あり、どちらのＰＣを用いて無線パラメータを設定すればよいのか判らない。ユーザが間違ってＰＣ２を用いて無線パラメータを設定してしまうと、基地局１に接続してデータ通信することができなくなってしまう。
【０００６】
また、無線パラメータの簡単設定を実現するために、無線端末をＰＣと無線により無線パラメータを設定できるようにし、ＰＣと無線端末とにおける設定用の操作（例えば、設定ボタンの押下）により無線パラメータの設定を開始するようにしたとする。このとき、他のユーザが隣接するＰＣで設定用操作を行うと、無線端末は隣接するＰＣが管理する無線パラメータを設定してしまうことがあり、この場合も誤った無線パラメータが設定されてしまう。
【０００７】
本発明は、通信パラメータを共有するためのモードの装置が複数存在する場合に発生する問題を解決することを目的とする。
【課題を解決するための手段】
【０００８】
本発明は、通信パラメータを共有するための設定モードの他の通信装置の検出数に応じて、重複通知を送信する通信装置を提供する。
また、通信パラメータを共有するための設定モードの他の通信装置を複数検出し、該検出された他の通信装置が異なるグループに属する場合、重複通知を送信する通信装置を提供する。
また、通信パラメータを共有するための設定モードであり、異なる通信パラメータが設定されている他の通信装置を複数検出した場合、通信パラメータを共有するための設定モードであることを通知し、かつ、異なる通信パラメータが設定されるネットワークのメンバの他の通信装置を複数検出した場合に重複通知を送信する通信装置を提供する。
【発明の効果】
【０００９】
本発明によれば、通信装置に誤った通信パラメータが設定されてしまう事態の発生を低減できる。
【図面の簡単な説明】
【００１０】
【図１】第１から第６の実施形態におけるシステム構成図
【図２】実施形態における無線端末の構成図
【図３】実施形態における管理装置の構成図
【図４】実施形態において基地局が送信する報知信号の予約領域
【図５】実施形態における基地局情報部
【図６】実施形態における管理装置情報部
【図７】第１の実施形態のシーケンス図
【図８】第１の実施形態における無線端末のフローチャート
【図９】第１の実施形態における無線パラメータ設定管理装置のフローチャート
【図１０】第１の実施形態のシーケンス図
【図１１】第２の実施形態において基地局が送信する報知信号の予約領域
【図１２】第２の実施形態における基地局情報部
【図１３】第２の実施形態における無線端末のフローチャート
【図１４】第２の実施形態における管理装置のフローチャート
【図１５】第３の実施形態のシーケンス図
【図１６】第３の実施形態における無線端末のフローチャート
【図１７】第４の実施形態における無線端末のフローチャート
【図１８】第４の実施形態における管理装置のフローチャート
【図１９】第５の実施形態におけるＲＡＭ（２０２）の構成
【図２０】第５の実施形態におけるＳＮ差分記憶部
【図２１】第５の実施形態における基地局情報部
【図２２】第５の実施形態における無線端末のフローチャート
【図２３】第６の実施形態における無線端末のフローチャート
【図２４】第６の実施形態における管理装置のフローチャート
【図２５】第７の実施形態のシステム構成図
【図２６】第７の実施形態における無線端末のフローチャート
【図２７】第７の実施形態における管理装置のフローチャート
【発明を実施するための形態】
【００１１】
（第１の実施形態）
図１は、本実施形態におけるシステム構成図である。
【００１２】
図１では、基地局１０３、１０５、管理装置１０２、１０６は有線ＬＡＮに接続されている。基地局１０３、１０５と無線端末１００、１０４は、ＩＥＥＥ８０２．１１準拠の無線ＬＡＮ通信により互いに無線通信する。また、無線端末１００は、基地局１０３と基地局１０５の通信エリア内に位置している。
【００１３】
管理装置１０２は、基地局１０３で使用される無線パラメータを管理し、無線端末に無線パラメータを通知する。管理装置１０２が管理する無線パラメータは、基地局１０３が形成する無線ネットワークの識別子であるＳＳＩＤ（Ｓｅｒｖｉｃｅ  Ｓｅｔ  Ｉｄｅｎｔｉｆｉｅｒ）、基地局１０３が使用する暗号方式、暗号鍵等の無線ネットワーク情報である。管理装置１０６は、基地局１０５で使用される無線パラメータを管理し、無線端末に無線パラメータを通知する。管理装置１０６が管理する無線パラメータは、基地局１０５が形成する無線ネットワークの識別子であるＳＳＩＤ、基地局１０５が使用する暗号方式、暗号鍵等の無線ネットワーク情報である。
【００１４】
図２は、本実施形態における無線端末１００、１０４の構成である。
【００１５】
ＣＰＵ２００は、ＲＯＭ２０１に格納されるプログラムに従って、無線端末の機能を制御する。ＲＯＭ２０１は、無線端末を動作させる為のプログラムを格納している。ＣＰＵ２００がＲＯＭ２０１に格納されるプログラムを実行することにより、無線端末は後述する動作を実行する。ＲＡＭ２０２は、動作時に必要となるメモリ領域として使用する。ＲＡＭ２０２には、基地局情報を記憶する基地局情報部２０５、タイマ２０６が含まれる。
【００１６】
設定ボタン２０３は、スイッチ操作による無線パラメータ設定の際に使用するボタンである。設定ボタン２０３がユーザにより押下されると、無線端末はＣＰＵ２００の制御により無線パラメータ設定のための後述の動作を開始する。無線部２０４は、データを無線により送受信する。本実施形態では、無線部２０４は、ＩＥＥＥ８０２．１１準拠の無線ＬＡＮ通信を行う。表示部２０７は、各種情報を表示し、ユーザに通知を行う。
【００１７】
図３は、本実施形態における管理装置１０２、１０６の構成である。
【００１８】
ＣＰＵ３００は、ＲＯＭ３０１に格納されるプログラムに従って、管理装置の機能を制御する。ＲＯＭ３０１は、管理装置を動作させる為のプログラムを格納している。ＣＰＵ３００がＲＯＭ３０１に格納されるプログラムを実行することにより、管理装置１０２、１０６は後述する動作を実行する。ＲＡＭ３０２は、動作時に必要となるメモリ領域として使用する。ＲＡＭ３０２には、管理装置の情報を記憶する管理装置情報部３０５がある。
【００１９】
設定ボタン３０４は、スイッチ操作による無線パラメータ設定の際に使用するボタンである。設定ボタン３０４がユーザにより押下されると、管理装置はＣＰＵ３００の制御により無線パラメータ設定のための後述の動作を開始する。
【００２０】
有線ＬＡＮＩ／Ｆ３０３は、有線ＬＡＮ１０７を介してデータ通信するためのインターフェース部である。
【００２１】
図４は、本実施形態における基地局が送信する報知信号の予約領域の例である。
【００２２】
基地局１０３、１０５は、報知信号（Ｂｅａｃｏｎ）を送信し、基地局が形成する無線ネットワークに関する情報を報知する。この報知信号には、未使用領域の予約領域があり、本実施形態では、この予約領域の一部を基地局の動作モードを示す情報を挿入する領域として利用する。
【００２３】
モード領域４００が「１」であれば、基地局は設定モードとして動作していることを示している。モード領域４００が「０」であれば通常モードで動作していることを示している。
【００２４】
図５は、無線端末１００、１０４のＲＡＭ２０２に記憶される基地局情報部２０５の構成である。
【００２５】
５００は、基地局を識別するためのインデックス番号である。５０１は、基地局のＭＡＣ（Ｍｅｄｉａ  Ａｃｃｅｓｓ  Ｃｏｎｔｒｏｌ）アドレスである。５０２は、基地局のＳＳＩＤであり、基地局が形成する無線ネットワークの識別子である。５０３は、基地局が通常モードか設定モードのいずれかで動作しているかを示す動作モードであり、通常モードの時は「０」、設定モードの時は「１」が記憶される。５０４は、設定モードの基地局が複数あった場合に、後述の重複通知を該当する基地局へ行ったか否かを示す通知フラグであり、通知を行っていれば「１」、通知を行っていなければ「０」が記憶される。
【００２６】
図６は、管理装置１０２、１０６のＲＡＭ３０２に記憶される管理装置情報部３０５の構成である。
【００２７】
６００は、管理装置を識別するインデックス番号であり、自装置も管理対象となる。６０１は、管理装置のＭＡＣアドレスである。６０２は、管理装置が管理しているＳＳＩＤである。６０３は、管理装置が管理している暗号方式である。６０４は、管理装置が管理している暗号鍵である。管理装置が管理するＳＳＩＤ、暗号方式、暗号鍵は、管理対象の基地局に通知、設定される。６０５は、管理装置の動作モードを示し、通常モードの時は「０」、設定モードの時は「１」が記憶される。
【００２８】
図７、図１０は本実施形態のシーケンス図である。図８は、本実施形態の無線端末の動作を示すフローチャートであり、ＣＰＵ２００がＲＯＭ２０１に格納されるプログラムに従って実行される。図９は、本実施形態の管理装置の動作を示すフローチャートであり、ＣＰＵ３００がＲＯＭ３０１に格納されるプログラムに従って実行される。
【００２９】
無線端末１００は、基地局１０３、基地局１０５が定期的に送信する報知信号（通常モード）を受信している（Ｓ７００、Ｓ７０１）。ここで、無線端末１００のユーザは、無線端末１００を基地局１０３に接続し、データ通信することを望んでいる。そのため、無線端末１００のユーザは、管理装置１０２が管理する基地局１０３の無線パラメータを無線端末１００に設定したい。
【００３０】
無線端末１００のユーザは、基地局１０３の無線パラメータを管理する管理装置１０２を設定モードにし、管理装置１０２を用いて無線端末１００の無線パラメータ自動設定を行うために、管理装置１０２の設定ボタン３０４を押下する（Ｓ７０２、９００）。管理装置１０２は、設定ボタン３０４の押下を検出すると、管理装置情報部３０５の自装置に該当する動作モードを「１」に変更して通常モードから設定モードに遷移し、管理対象の基地局１０３に対して設定モードの開始を通知する（Ｓ７０３、９０１）。このとき、管理装置１０６の設定ボタン３０４も他のユーザにより押下されたとする（Ｓ７０４、９００）。管理装置１０６は、設定ボタン３０４の押下を検出すると、基地局１０５に対して設定モードの開始を通知する（Ｓ７０５、９０１）。管理装置１０２、１０６は、設定モードになると、後述する無線端末からの重複通知、設定要求が受信されるかを監視する。
【００３１】
設定モードの開始を通知された基地局１０３および基地局１０５は、報知信号の予約領域内のモード領域４００を「１」にして、報知信号（設定モード）を送信する。
【００３２】
無線端末１００のユーザは、無線端末１００も設定モードにするために、設定ボタン２０３を押下する（Ｓ７０６、８００）。無線端末１００は、設定ボタン２０３の押下を検出すると、管理装置１０２と接続する基地局であり、設定モードで動作している基地局１０３を探索するために、一定時間、スキャンを開始する（８０１）。スキャン開始後、無線端末１００は、基地局１０３、１０５が送信した報知信号（設定モード）を受信すると（Ｓ７０７、Ｓ７０８、８０２）、基地局情報部２０５に、受信した報知信号から分かる基地局の情報を記憶する（８０３）。
【００３３】
図７の例のように、基地局１０３、１０５の報知信号を受信した場合の基地局情報部２０５の状態を図５に示す。図５によれば、基地局１０３と基地局１０５は、ＭＡＣアドレス５０１以外は同一であることが分かる。
【００３４】
無線端末１００は、スキャンが終了すると（８０４でＹＥＳ）、設定モードの基地局の数を判断する（８０５）。
【００３５】
ここで、設定モードの基地局が１つならば（８０５で「１」）、無線端末１００は、基地局に設定されている無線パラメータに関係なく通信できるパケットを用いてその基地局と接続して管理装置に設定要求を送信する。この設定要求を受信した基地局は、自身の無線パラメータを管理する管理装置に転送する。管理装置は、設定要求を検出すると、該要求を送信した無線端末に管理している無線パラメータを通知し、無線端末と管理装置間で無線パラメータの設定処理を行う（８１１、９０６）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。なお、上記説明では、基地局に設定されている無線パラメータに関係なく通信できるパケットを用いて管理装置と通信した。しかし、設定モードになると基地局と無線端末は予め定められた設定用の無線パラメータに切り替わることにより、無線端末、基地局間の通信を行えるようにし、無線端末と管理装置の通信を行えるようにしてもよい。以下の説明においても、無線パラメータの設定時の通信は、同様な方法により行われる。
【００３６】
また、設定モードの基地局が１つもなく、０ならば（８０５で「０」）、自身の設定モードを終了する（８１２）。
【００３７】
図５の例では、基地局１０３と基地局１０５は共に設定モードで動作しているので、無線端末１００は設定モードの基地局は複数であると判断する（８０５で「複数」）。この場合、無線端末１００は、設定モードで動作している基地局１０３と基地局１０４に対して、設定モードの重複通知を行う（Ｓ７０９、Ｓ７１０、８０６）。そして、設定モードで動作している全ての基地局に対して、重複通知を行うと（８０７でＹＥＳ）、無線端末１００は、タイマ２０６を起動する（Ｓ７１１、８０８）。
【００３８】
管理装置１０２は、Ｓ７０９において基地局１０３が受信した設定モード重複通知を、基地局１００から転送されると（９０２でＹＥＳ）、管理装置の探索を行う（９０３）。そして、探索した管理装置の情報を管理装置情報部３０５に記憶する。探索方法としては、有線ＬＡＮ１０７上に接続されている機器のすべてに対して探索要求を行う方法などがある。
【００３９】
管理装置１０２は、Ｓ７１２において送信した探索要求に対して、管理装置１０６から、探索応答を受信する（Ｓ７１３）。そして、管理装置１０２と管理装置１０６は、管理している無線パラメータを相互に確認し（Ｓ７１４、９０４）、管理装置情報部３０５に、確認した無線パラメータを記憶する。そして、管理装置１０２は、管理装置情報部３０５に記憶した、管理装置１０６の無線パラメータが、自身が管理している無線パラメータと同一であるか比較して確認する（９０５）。
【００４０】
図６に、その時点での管理装置情報部３０５の状態を示す。図６によれば、自装置（つまり、管理装置１０２）が管理する無線パラメータと、管理装置１０６が管理する無線パラメータは、同一であることが分かる（９０５でＹＥＳ）。ところで、設定モードで動作する基地局が複数あったとしても、無線パラメータが同一であれば、無線端末１００はどの管理装置から無線パラメータを受信してもよいことは明白である。つまり、基地局１０３、１０５が設定モードで動作していても、基地局１０３の無線パラメータを管理する管理装置１０２と、基地局１０５の無線パラメータを管理する管理装置１０６が同じ無線パラメータを管理している場合は、無線端末１００はどの管理装置から無線パラメータを受信しても同じ無線パラメータが設定される。従って、このような場合には、基地局１０３および基地局１０５は、設定モードを終了せずに、設定モードの報知信号を定期的に送信し続ける（Ｓ７１５、Ｓ７１６）。
【００４１】
管理装置１０２は、探索した管理装置１０６の無線パラメータが、自身が管理している無線パラメータと同一の場合（９０５でＹＥＳ）、無線端末からの設定要求を待ち、設定要求が検出されると、無線端末との間で無線パラメータの設定処理を行う（９０６）。
【００４２】
無線端末１００は、８０８において起動したタイマ２０６がタイムアウトするまでに、基地局１０３および基地局１０５が設定モードを終了するかどうかを判断する。図７の例では、基地局１０３および基地局１０５は、設定モードの報知信号を定期的に送信している（Ｓ７１５、Ｓ７１６）ので、無線端末１００は、基地局の設定モードの終了を検出せず（８０９でＮＯ）、タイマ２０６はタイムアウトする（Ｓ７１７、８１０）。そして、無線端末１００は、設定モードで動作している基地局と接続して管理装置に設定要求を送信し、管理装置との間で無線パラメータの設定処理を行う（８１１、９０６）。図７の例では、無線端末１００は、基地局１０３と接続し（Ｓ７１８）、管理装置１０２との間で、無線通信パラメータの設定を行う（Ｓ７２０、８１１、９０６）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。
【００４３】
ここで、管理装置１０２および管理装置１０６が管理する無線パラメータが異なっていた場合のシーケンスを図１０に示す。
【００４４】
管理装置１０２および管理装置１０６は、無線パラメータが同一でないと判断すると（９０５でＮＯ）、それぞれ基地局１０３、基地局１０５に対して、設定モード終了通知を行う（Ｓ１０００、Ｓ１００１、９０８）。そして、管理装置１０２および管理装置１０６は、自身の設定モードを終了する（９０９）。基地局１０３および基地局１０５は、設定モード終了通知を受信すると（Ｓ１０００、Ｓ１００１）、報知信号のモード領域４００を「０」にした通常モードの報知信号を定期的に送信する（Ｓ１００２、Ｓ１００３）。
【００４５】
無線端末１００は、タイマ２０６がタイムアウトする前に通常モードの報知信号を受信し（Ｓ１００２、Ｓ１００３）、基地局１０３と基地局１０５が設定モードを終了したことを検出し（８０９でＹＥＳ）、設定モードを終了する（Ｓ１００４、８１２）。
【００４６】
以上のように、本実施形態では、設定モードで動作する基地局を複数検出した場合には、無線端末がそれらの基地局に重複通知を行い、基地局経由で管理装置に対して、設定モードの重複通知を行うようにした。これにより、管理装置及び基地局は、早期に設定モードを終了することができる。
【００４７】
また、設定モードである管理装置が複数あった場合には、管理装置が、各々が管理する無線パラメータの一致、不一致を確認するようにした。これにより、設定モードである管理装置が管理する無線パラメータが一致し、どの管理装置から無線パラメータを設定しても無線端末に同じ無線パラメータが設定される場合は、設定モードを継続するようにし、無線パラメータ設定を行えるようにすることができる。
【００４８】
なお、本実施形態では、無線端末１００は、タイマ２０６の起動から終了までの間に、基地局の設定モード終了を検出すると設定モードを終了した。しかしながら、管理装置が基地局経由で無線パラメータ一致通知または不一致通知を無線端末に送信するようにしてもよい。この場合、無線端末は不一致通知を受信した場合には設定モードを終了し、一致通知を受信した場合には、設定モードを継続する。
【００４９】
（第２の実施形態）
本実施形態では、管理装置が管理する無線パラメータを予めグループ分けし、基地局が、管理装置が管理する無線パラメータのグループの識別情報を報知する。無線端末は、グループの識別情報から、パラメータの一致、不一致を類推する。
【００５０】
以下、本実施形態について図を用いて説明する。なお、すでに説明した部分に関しては、同一の符号を付すことにより説明を省略する。無線端末１００、１０４、管理装置１０２、１０６の構成は、第１の実施形態と同様である。
【００５１】
図１１は、本実施形態における基地局が送信する報知信号の予約領域である。本実施形態では、予約領域の１部を基地局が属するグループを示す為に使用する。本実施形態では、同一グループの基地局には、同一の無線パラメータが設定されているとする。
【００５２】
図１２は本実施形態における無線端末の基地局情報部２０５の構成である。基地局情報部２０５は、各基地局が属するグループの識別情報１２００が記憶されている。
【００５３】
図１３は、本実施形態の無線端末の動作を示すフローチャートであり、ＣＰＵ２００がＲＯＭ２０１に格納されるプログラムに従って実行される。図１４は、本実施形態の管理装置の動作を示すフローチャートであり、ＣＰＵ３００がＲＯＭ３０１に格納されるプログラムに従って実行される。
【００５４】
本実施形態においても無線端末１００のユーザは、無線端末１００を基地局１０３に接続し、データ通信することを望んでいる。そのため、無線端末１００のユーザは、管理装置１０２が管理する基地局１０３の無線パラメータを無線端末１００に設定したい。
【００５５】
無線端末１００のユーザは、基地局１０３の無線パラメータを管理する管理装置１０２を設定モードにし、管理装置１０２を用いて無線端末１００の無線パラメータ自動設定を行うために、管理装置１０２の設定ボタン３０４を押下する（９００）。
【００５６】
管理装置１０２は、設定ボタン３０４の押下を検出すると、管理装置情報部３０５の自装置に該当する動作モードを「１」に変更して通常モードから設定モードに遷移し、管理対象の基地局１０３に対して、設定モードの開始を通知する（９０１）。また、管理装置１０２は、管理する無線パラメータのグループ番号を基地局１０３に通知する（１４００）。ここでは、管理装置１０２は、グループ番号「１」を基地局１０３に通知するものとする。基地局１０３は、設定モードを示し、グループ番号「１」を示す報知信号を定期的に送信し始める。このとき、管理装置１０６の設定ボタン３０４も他のユーザにより押下されたとする。管理装置１０６は、設定ボタン３０４の押下を検出すると（９００）、基地局１０５に対して設定モードの開始を通知する（９０１）。また、管理装置１０６は、管理する無線パラメータのグループ番号を基地局１０５に通知する（１４００）。ここでは、管理装置１０６も、グループ番号「１」を基地局１０５に通知するものとする。基地局１０５は、設定モードを示し、グループ番号「１」を示す報知信号を定期的に送信し始める。また、管理装置１０２、１０６は、設定モードになると、無線端末からの重複通知、設定要求が受信されるかを監視する。
【００５７】
無線端末１００のユーザは、無線端末１００も設定モードにするために、設定ボタン２０３を押下する（８００）。無線端末１００は、設定ボタン２０３の押下を検出すると、管理装置１０２と接続する基地局であり、設定モードで動作している基地局１０３を探索するために、一定時間、スキャンを開始する（８０１）。スキャン開始後、無線端末１００は、基地局１０３、１０５が送信した報知信号（設定モード）を受信すると（８０２）、基地局情報部２０５に、受信した報知信号から分かる基地局１０３、１０５の情報を記憶する（８０３）。基地局１０３と基地局１０５の報知信号を受信した場合の基地局情報部２０５の状態を図１２に示す。図１２によれば、設定グループの基地局が２つ存在し、その基地局１０３と基地局１０５は、同じグループ番号の報知信号を送信していることが分かる。
【００５８】
無線端末１００は、スキャンが終了すると（８０４でＹＥＳ）、設定モードの基地局の数を判断する（８０５）。図１２の基地局情報部２０５を参照すると、設定モードの基地局は２つであるので（８０５で「複数」）、無線端末１００は、基地局情報部２０５に記憶されている基地局のグループを確認する（１３００）。
【００５９】
設定モードの基地局数が１つまたは０の場合は、図８と同様の処理を行う。
【００６０】
図１２の例では、基地局１０３と基地局１０５のグループ（１２００）は共に「１」であるので無線端末１００は、同一グループと判断する（１３０１でＹＥＳ）。設定モードの基地局が送信する報知信号が示すグループ番号が全て一致する場合は、それら基地局の無線パラメータを管理する管理装置が管理する無線パラメータは同一である。従って、どの管理装置から無線パラメータを受信しても同じ無線パラメータが設定される。このような場合には、無線端末１００は設定モードを継続し、設定モードの基地局と接続して管理装置との間で無線パラメータの設定処理を行う（８１１）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。
【００６１】
また、８０３で記憶した基地局情報部２０５のグループ１２００が異なる場合は、無線端末１００は、基地局のインデックス番号５００に記憶されている全ての基地局に設定モードの重複通知を行い（８０６）、設定モードを終了する（８１２）。ここでは、基地局１０３と基地局１０５に重複通知を行うことになる。
【００６２】
管理装置１０２および管理装置１０６は、重複通知を、基地局１０３、基地局１０５から転送されると（９０２でＹＥＳ）、基地局１０３、基地局１０５に対して、設定モード終了通知を行い（９０８）、設定モードを終了する（９０９）。
【００６３】
以上のように、本実施形態では、無線端末は、報知信号に含まれるグループ番号の不一致を検出すると、重複通知を送信するようにした。また、管理装置は、重複通知を受信すると、設定モードを終了するようにした。これにより、図１０（第一の実施形態のシーケンス）の探索要求（Ｓ７１２）、探索応答（Ｓ７１３）、無線通信パラメータ確認（Ｓ７１４）の処理を省くことが可能となり、より早期に管理装置および基地局の設定モードを終了することが可能となる。また、第１の実施形態と同様に、設定モードである管理装置が複数あった場合にも、それらが管理する無線パラメータが一致した場合は、設定モードを継続し、無線パラメータ設定を行えるようにすることができる。
【００６４】
（第３の実施形態）
本実施形態では、無線端末は、図８、図１３において無線端末が自身の設定モードを終了する前に、表示部２０７に管理装置の設定ボタン３０４の再押下を促す表示を一定時間行うようにする。
【００６５】
図１５は本実施形態のシーケンス図である。図１６は、本実施形態の無線端末の動作を示すフローチャートであり、ＣＰＵ２００がＲＯＭ２０１に格納されるプログラムに従って実行される。なお、すでに説明した部分に関しては、同一の符号を付すことにより説明を省略する。無線端末１００、１０４、管理装置１０２、１０６の構成は、第１の実施形態と同様である。
【００６６】
無線端末１００は、Ｓ１００２およびＳ１００３において、基地局１０３と基地局１０５が設定モードを終了したことを検知すると（８０９でＹＥＳ）、表示部２０７に管理装置の設定ボタン３０４の再押下を促す表示を一定時間行う（Ｓ１５００、１６００）。また、ステップ８０５において、設定モードの基地局が１つも検出できなかった場合も、無線端末１００は、表示部２０７に管理装置の設定ボタン３０４の再押下を促す表示を一定時間行う（１６００）。
【００６７】
無線端末１００のユーザは前記表示に従い、管理装置１０２の設定ボタン３０４を再度、押下したとする（Ｓ１５０１）。管理装置１０２は、設定モードを終了後に（図９の９０９）、再度、設定ボタン３０４が押下されると、ステップ９００に戻り、基地局１０３へ設定モードの開始通知を行う（９０１、Ｓ１５０２）。
【００６８】
基地局１０３は、自身が設定モードであることを示す報知信号を送信する（Ｓ１５０３）。このとき、管理装置１０６は設定ボタン３０４が押下されなければ、基地局１０５は、通常モードの報知信号を送信している。
【００６９】
無線端末１００は、報知信号をＳ１５０３で受信し、設定モードである基地局１０３を検出する（１６０１）。無線端末１００は、設定ボタンの再押下の表示後に、最初に検出した設定モードの基地局と接続し、管理装置との間で無線通信パラメータの設定を実行する（８１１）。図１５の例では、基地局１０３からの報知信号（設定モード）を検出するので（Ｓ１６０１）、基地局１０３と接続し、管理装置１０２との間で無線通信パラメータの設定を実行する（Ｓ１５０６、８１１）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。また、無線端末１００は、設定ボタンの再押下の表示後、一定時間が経過しても設定モードの基地局が検出できない場合は、自身の設定モードを終了する（８１２）。
【００７０】
なお、上記説明では、図１６において基地局の設定モードの終了を検出すると、表示部２０７に管理装置の設定ボタン３０４の再押下を促す表示を行った。しかし、図１３に示した基地局への重複通知（８０６）の後に、上記表示を行ってもよい。この場合も、無線端末１００は、設定ボタンの再押下の表示後に、最初に検出した設定モードの基地局と接続し、管理装置との間で無線通信パラメータの設定を実行する。
【００７１】
以上のように、本実施形態では、無線端末は、基地局が設定モードを終了したことを検知すると、表示部に管理装置の設定ボタンを再押下することを促す表示を行う。そして、最初に検出した設定モードの基地局を介して管理装置との間で無線パラメータの設定を行う。これにより、第１の実施形態、第２の実施形態の効果に加えて、所望の管理装置から無線パラメータを受信することが容易になる。
【００７２】
（第４の実施形態）
本実施形態でも、無線端末は、図８、図１３において無線端末が自身の設定モードを終了する前に、表示部２０７に管理装置の設定ボタン３０４の再押下を促す表示を一定時間行うようにする。そして、管理装置の設定ボタン３０４が再押下されると、管理装置は基地局に報知信号の内容変更を要求し、報知信号の内容を変更させるようにする。
【００７３】
図１７は、本実施形態の無線端末の動作を示すフローチャートであり、ＣＰＵ２００がＲＯＭ２０１に格納されるプログラムに従って実行される。図１８は、本実施形態の管理装置の動作を示すフローチャートであり、ＣＰＵ３００がＲＯＭ３０１に格納されるプログラムに従って実行される。なお、すでに説明した部分に関しては、同一の符号を付すことにより説明を省略する。
【００７４】
無線端末１００は、Ｓ１００２およびＳ１００３において、基地局１０３と基地局１０５が設定モードを終了したことを検知すると（８０９でＹＥＳ）、表示部２０７に管理装置の設定ボタン３０４の再押下を促す表示を一定時間行う（Ｓ１５００、１６００）。また、ステップ８０５において、設定モードの基地局が１つも検出できなかった場合も、無線端末１００は、表示部２０７に管理装置の設定ボタン３０４の再押下を促す表示を一定時間行う（１６００）。
【００７５】
無線端末１００のユーザは前記表示に従い、管理装置１０２の設定ボタン３０４を再度、押下したとする。
【００７６】
管理装置１０２は、設定モードを終了後に（図９の９０９）、再度、設定ボタン３０４が押下されると（１８００）、基地局に報知信号の内容変更を要求し（１８０１）、基地局に報知信号の予約領域の情報を変更させる。基地局は管理装置から報知信号の内容変更を受けると、内容を変更した報知信号を送信する。報知信号の予約領域の情報変更は、例えば、予約領域の特定の領域にランダムな値を格納しておき、それを変更する、などの方法がある。
【００７７】
無線端末１００は、報知信号の変化を検出すると（１７００でＹＥＳ）、報知信号の変化を最初に検出した基地局と接続し、管理装置との間で無線パラメータの設定を実行する（８１１、９０６）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。また、無線端末１００は、設定ボタンの再押下の表示後、一定時間が経過しても設定モードの基地局が検出できない場合は、自身の設定モードを終了する（８１２）。
【００７８】
なお、上記説明では、図１７において基地局の設定モードの終了を検出すると、表示部２０７に管理装置の設定ボタン３０４の再押下を促す表示を行った。しかし、図１３に示した基地局への重複通知（８０６）の後に、上記表示を行ってもよい。この場合も、無線端末１００は、設定ボタンの再押下の表示後に、最初に報知信号の変化を検出した基地局と接続し、管理装置との間で無線通信パラメータの設定を実行する。
【００７９】
このように、管理装置は、設定ボタンが再押下されると、基地局が送信する報知信号の内容を変更させる。そして、無線端末は、報知信号が変更された最初の基地局に接続し、管理装置との間で無線パラメータの設定を行うようにした。これにより、第１の実施形態、第２の実施形態の効果に加えて、所望の管理装置から無線パラメータを受信することが容易になる。
【００８０】
（第５の実施形態）
本実施形態では、設定モードの管理装置が複数存在した場合に、基地局が送信する報知信号のＳＮ比（Ｓｉｇｎａｌ／Ｎｏｉｓｅ比）を比較し、接続する基地局を選択するようにした。これは、基地局と管理装置との距離が近い、たとえば、基地局と管理装置が同一筐体内にあるような場合に有効である。つまり、基地局と管理装置の距離が近い場合は、ユーザが無線端末を持って管理装置の設定ボタン３０４を押下すると、無線端末と基地局との距離も近くなるからである。
【００８１】
管理装置１０２、１０６の構成は、第１の実施形態と同様であるが、管理装置１０２は基地局１０３に近接した位置に設置、または管理装置１０２と基地局１０３が同一筐体内に構成される。また、管理装置１０６は基地局１０５に近接した位置に設置、または管理装置１０６と基地局１０５が同一筐体内に構成される。無線端末１００、１０４の構成はＲＡＭの構成が異なるが、無線端末の他の構成は、第１の実施形態と同様である。
【００８２】
図１９は、本実施形態における無線端末のＲＡＭ２０２の構成である。ＲＡＭ２０２には、ＳＮ差分記憶部１９００が存在する。
【００８３】
図２０は、ＳＮ差分記憶部１９００の構成である。ＳＮ差分記憶部１９００は、無線端末１００が、２つの基地局が送信する報知信号のＳＮ比を比較し、接続先を決定できるか否かの判断を行うときに使用する。ＳＮ比の欄２０００には、比較するＳＮ比の内、大きい方の値が対応し、一定の範囲毎に分けられている。差分の最小値欄２００１には、ＳＮ比が大きい方の値に対するＳＮ比が小さい方の値との差分の最小値を示している。
【００８４】
例えば、無線端末１００が受信する基地局１０３の報知信号のＳＮ比が０ｘ１９であり、基地局１０５の報知信号のＳＮ比が０ｘ１６であった場合は、差分は０ｘ０３である。図２０によれば、ＳＮ比の大きい方が０ｘ２０―０ｘ１７（基地局１０３の報知信号のＳＮ比はここに該当）であれば、接続先が決定可能な差分の最小値は０ｘ０５である。基地局１０３と基地局１０５のＳＮの差分は０ｘ０３であり、この条件に合致しない。よって、接続先は決定できないと判断される。差分の最小値がＳＮ欄２０００毎に違うのは、電波の伝搬特性に起因している。
【００８５】
図２１は、本実施形態における無線端末１００の基地局情報部２０５である。本実施例では、図５に示した基地局情報部に、基地局が送信した信号のＳＮ比２１００が追加されている。
【００８６】
図２２は、本実施形態の無線端末の動作を示すフローチャートであり、ＣＰＵ２００がＲＯＭ２０１に格納されるプログラムに従って実行される。無線端末１００の動作を、図１９から図２２を使用して、以下に説明する。管理装置の動作は、第１の実施形態と同様なので説明は省略する。
【００８７】
本実施形態においても無線端末１００のユーザは、無線端末１００を基地局１０３に接続し、データ通信することを望んでいる。そのため、無線端末１００のユーザは、管理装置１０２が管理する基地局１０３の無線パラメータを無線端末１００に設定したい。
【００８８】
図２２において、無線端末１００は、設定ボタン２０３が押下されると（８００）、基地局１０３を探索するために、一定時間、スキャンを開始する（８０１）。スキャン開始後、無線端末１００は、基地局１０３、１０５が送信した報知信号（設定モード）を受信すると（８０２）、基地局情報部２０５に、受信した報知信号から分かる基地局の情報を記憶する（８０３）。
【００８９】
無線端末１００は、スキャンが終了すると（８０４でＹＥＳ）、設定モードの基地局の数を判断する（８０５）。
【００９０】
設定モードの基地局が１つならば（８０５で「１」）、無線端末１００は、該当する基地局に接続し、管理装置との間で無線パラメータの設定処理を行う（８１１）。設定モードの基地局が０ならば（８０５で「０」）、自身の設定モードを終了する（８１２）。
【００９１】
無線端末１００は、設定モードの基地局は複数であると判断すると（８０５で「複数」）、各基地局が送信した報知信号のＳＮ比を比較する（２２００）。図２１の例では、無線端末１００は、基地局１０３および基地局１０５が送信した報知信号のＳＮ比を比較する（２２００）。図２１によれば、無線端末１００が受信する基地局１０３から電波のＳＮ比は０ｘ１６であり、基地局１０５から受信する電波のＳＮ比は０ｘ０ｆである。その差分は０ｘ０７である。
【００９２】
ここで、図２０において、ＳＮ比が０ｘ１６の時に、接続先の決定が可能である差分の最小値は０ｘ０４である。従って、無線端末１００は、接続先を選択可能と判断し（２２０１でＹＥＳ）、ＳＮ比が大きい方の基地局１０３を接続先に決定する（２２０２）。そして、無線端末１００は、基地局１０３に接続し、管理装置１０２との間で無線パラメータの設定処理を行う（８１１）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。
【００９３】
また、ステップ２２０１において、基地局１０３と基地局１０５の報知信号のＳＮ比の差分が、図２０の差分の最小値２００１より小さい場合は、無線端末１００は、接続先を選択不能と判断する（２２０１でＮＯ）。そして、基地局１０３および基地局１０５に対して、重複通知を送信する（８０６）。以降の処理は、第１の実施形態と同様である。また、第３の実施形態、第４の実施形態の処理を行っても良い。
【００９４】
なお、上記説明では、設定モードの基地局が複数検出された場合に、ＳＮ比を比較した。しかし、図１３において、設定モードの基地局が複数検出された場合に（８０５で「複数」）、ＳＮ比を比較し、基地局の選択を行っても良い。
【００９５】
また、本実施形態では、電波の質を表すものとしてＳＮ比を挙げて説明したが、受信電界強度（ＲＳＳＩ）、その他の情報であっても、電波の質を表すものであれば、同様の効果が得られる。
【００９６】
以上のように、本実施形態によれば、接続先の候補が複数存在した場合には、無線端末は受信した電波の状態を用いて接続先を決定するようにした。さらに、電波状態の差分により、接続先の決定が可能か不可能かという判断をすることにしたので、所望しない接続先と接続してしまう危険性を低減できる。
【００９７】
本実施形態は特に、以下の場合に有効である。
１．基地局と管理装置が近接して設置、もしくは同一筐体の中にある。
２．ユーザが無線端末を身に付けた状態で、管理装置の設定ボタンと、無線端末の設定ボタンを押下する。
【００９８】
上記のような状態では、接続を望む基地局の信号のＳＮ比は大きく、他の基地局のＳＮ比は比較的小さいと予想されるため、ユーザが所望する基地局に接続するための無線パラメータを設定できる可能性が高くなる。
【００９９】
（第６の実施形態）
本実施形態では、第５の実施形態において、ＳＮ比を用いて接続先を決定した際に、無線端末と管理装置のＬＥＤの点滅パターンを使用して、ユーザに接続先を確認させるようにした。
【０１００】
本実施形態における無線端末、管理装置は、図２、図３に示した構成に、表示部であるＬＥＤが付加される。
【０１０１】
図２３は、本実施形態の無線端末の動作を示すフローチャートであり、ＣＰＵ２００がＲＯＭ２０１に格納されるプログラムに従って実行される。図２４は、本実施形態の管理装置の動作を示すフローチャートであり、ＣＰＵ３００がＲＯＭ３０１に格納されるプログラムに従って実行される。なお、すでに説明した部分に関しては、同一の符号を付すことにより、説明を省略する。
【０１０２】
無線端末１００は、図２２で説明したように、２２０２においてＳＮ比を使用して接続先を選択すると、当該接続先の基地局に対してＬＥＤの点滅パターンを送信する（２３００）。また、基地局に送信した点滅パターンと同じ点滅パターンで自身のＬＥＤを点滅させる（２３０１）。
【０１０３】
ＬＥＤの点滅パターンを受信した基地局は、自己の無線パラメータを管理する管理装置にＬＥＤの点滅パターンを転送する。基地局１０３がＬＥＤの点滅パターンを受信した場合には、管理装置１０２に受信した点滅パターンを転送する。
【０１０４】
管理装置１０２は、基地局１０３からＬＥＤの点滅パターンを受信すると（２４００）、自身のＬＥＤを受信した点滅パターンで点滅させる（２４０１）。
【０１０５】
無線端末１００は、２３０１においてＬＥＤを点滅させたのち、表示部２０７に、ユーザに対して所望の接続先（この場合、管理装置１０２）のＬＥＤの点滅パターンを確認する旨の表示を行う。そして、無線端末１００は、ユーザに接続または切断を選択させる表示を行う（２３０２）。
【０１０６】
無線端末１００は、２３０２における表示を確認したユーザにより、「接続」が選択されると（２３０３でＹＥＳ）、ＳＮ比を使用して選択した基地局（基地局１０３）に接続し、管理装置１０２との間で無線パラメータ設定処理を行う（８１１、９０６）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。
【０１０７】
２３０２における表示を確認したユーザにより、「終了」が選択されると、無線端末１００は、全ての基地局に対して、重複通知を行う（８０６）。以降の処理は、第１の実施形態と同様である。また、第３の実施形態、第４の実施形態の処理を行っても良い。
【０１０８】
なお、上記説明では、設定モードの基地局が複数検出された場合に、ＳＮ比を比較した。しかし、第５の実施形態と同様に、図１３において、設定モードの基地局が複数検出された場合に（８０５で「複数」）、ＳＮ比を用いて基地局を選択し、選択した基地局に対して２３００以降の処理を行っても良い。
【０１０９】
また、ＳＮ比に代えて、受信電界強度（ＲＳＳＩ）等の、電波の質を表す他の情報を用いてもよい。
【０１１０】
以上のように、本実施形態では、無線端末は、接続先を決定したのち、ＬＥＤの点滅パターンによって、ユーザに接続／切断を選択させる表示を行うようにした。これにより、無線端末のユーザは、接続先を目視で確認できるようなり、所望しない管理装置との間で、無線パラメータを誤って設定してしまう危険性を低減できる。また、設定モードの基地局が複数の場合に、ＬＥＤを使用して確認するようにしたので、設定モードの基地局が１台の場合は、ＬＥＤの確認が必要なく、早期に無線パラメータの設定処理が行える。
【０１１１】
本実施形態では、ＬＥＤの点滅パターンによってユーザが視覚で確認できるようにしたが、これは、ＬＥＤ以外の可視的なものであってもよいし、また、音であってもよい。
【０１１２】
（第７の実施形態）
第１から第６の実施形態では、無線端末が、設定モードである基地局の検出を行った（例えば、図８の８０１から８０４）。本実施形態では、管理装置が設定モードの基地局の探索、重複通知を行うようにする。
【０１１３】
図２５は、本実施形態のシステム構成図である。管理装置１０２は、基地局１０３と無線２５００によって接続されている。管理装置１０６は、基地局１０５と無線２５０１によって接続されている。第１から第６の実施形態では、基地局が基地局情報部２０５（図５）をＲＡＭ２０２に有していた。本実施形態では、管理装置１０２、１０６が、同様の基地局情報部をＲＡＭ３０２に有している。
【０１１４】
図２６は、本実施形態の無線端末の動作を示すフローチャートであり、ＣＰＵ２００がＲＯＭ２０１に格納されるプログラムに従って実行される。図２７は、本実施形態の管理装置の動作を示すフローチャートであり、ＣＰＵ３００がＲＯＭ３０１に格納されるプログラムに従って実行される。なお、すでに説明した部分に関しては、同一の符号を付すことにより説明を省略する。
【０１１５】
管理装置１０２は、設定ボタン３０４が押下され（９００）、基地局１０３に設定モードの開始通知を行い（９０１）、設定モードの基地局を探索するために、一定時間、スキャンを開始する（２７００）。基地局１０３は、設定モードの開始通知を受信すると、設定モードの報知信号を送信する。管理装置１０６でも設定ボタン３０４が押下されると、基地局１０５に設定モードの開始通知を行い、基地局１０５が設定モードの報知信号の送信を行う。
【０１１６】
管理装置１０２は、設定モードの報知信号を検出すると（２７０４でＹＥＳ）、ＲＡＭ３０２の基地局情報部に検出した基地局の情報を記憶する（２７０２）。管理装置１０２は、スキャンが終了すると（２７０３でＹＥＳ）、設定モードの基地局の数を判断する（２７０４）。
【０１１７】
ここで、設定モードの基地局が１つならば（２７０４で「１」）、管理装置１０２は、無線端末からの設定要求を待ち、設定要求を受信すると、基地局１０３の無線パラメータを通知して無線パラメータの設定処理を行う（９０６）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。また、設定モードの基地局が０ならば（２７０４で「０」）、基地局１０３への設定モードの開始通知が届いていなかったと判断し、再度、基地局１０３に設定モードの開始通知を行う（９０１）。
【０１１８】
また、管理装置１０２は、設定モードの基地局を複数検出した場合には（２７０４で「複数」）、基地局１０３を介して重複通知をブロードキャストする。基地局１０３から送信された重複通知は、無線端末１００にも送られる。また、有線ＬＡＮを介して基地局１０５にも送られ、基地局１０５から管理装置１０６、無線端末１０４にも送られる。
【０１１９】
管理装置１０２は、重複通知を行うと、管理装置の探索を行う（９０３）。そして、探索した管理装置の情報を管理装置情報部３０５に記憶する。管理装置１０２は、探索が終了すると、管理装置情報部３０５に記憶した、他の管理装置の無線パラメータが、自身が管理している無線パラメータと同一であるか比較して確認する（９０４）。管理装置１０２は、探索した他の管理装置の無線パラメータが、自身が管理している無線パラメータと同一の場合（９０５でＹＥＳ）、無線端末からの設定要求を待ち、設定要求が検出されると、無線端末との間で無線パラメータの設定処理を行う（９０６）。この場合は、無線端末がどの管理装置が管理する無線パラメータを設定しても同じ無線パラメータが設定されるので、設定モードを終了する必要はない。
【０１２０】
管理装置１０２は、探索した他の管理装置の無線パラメータが、自身が管理している無線パラメータと異なる場合（９０５でＮＯ）、基地局１０３に対して、設定モード終了通知を行う（９０８）。そして、管理装置１０２は、自身の設定モードを終了する（９０９）。基地局１０３は、設定モード終了通知を受信すると、報知信号のモード領域４００を「０」にした通常モードの報知信号を定期的に送信する。
【０１２１】
無線端末１００は、設定ボタン２０３が押下されると（８００）、タイマ２０６を起動し（２６００）、重複通知が受信されるかどうかを監視する。このタイマ２０６は、管理装置１０２が設定モードの基地局のスキャンを行い、設定モードの重複通知を送信するまでの時間を確保するためのタイマである。
【０１２２】
そして、無線端末１００は、設定モードで動作している基地局を探索するために、一定時間、スキャンを開始する（８０１）。スキャン開始後、無線端末１００は、基地局が送信した報知信号（設定モード）を受信と（８０２）、基地局情報部２０５に、受信した報知信号から分かる基地局１０３の情報を記憶する（８０３）。無線端末１００は、スキャンが終了すると（８０４でＹＥＳ）、重複通知が受信されたかどうかを判断する（２６０１）。
【０１２３】
無線端末１００は、重複通知が受信されないまま、２６００で起動したタイマがタイムアウトした場合は（２６０１でＮＯ、２６０２でＹＥＳ）、８０３で記憶した基地局情報部２０５を参照する。そして、設定モードの基地局と接続し、管理装置との間で無線通信パラメータの設定を行う（８１１）。無線パラメータの設定が終了すると、管理装置は基地局に対して設定モード終了通知を行う。基地局は管理装置から設定モード終了通知を受けると、通常モードに切り換える。無線端末１００は、管理装置１０２から提供された無線通信パラメータを設定し、通常モードで動作する基地局１０３と接続してデータ通信が可能になる。
【０１２４】
無線端末１００は、２６００で起動したタイマ２０６がタイムアウトする前に重複通知を受信すると（２６０１でＹＥＳ）、タイマ２０６をリセットして再度タイマ２０６を起動する（８０８）。無線端末１００は、８０８において起動したタイマ２０６がタイムアウトするまでに、基地局が設定モードを終了するかどうかを判断する。基地局の設定モードの終了を検出せず（８０９でＮＯ）、タイマ２０６がタイムアウトすると（８１０でＹＥＳ）。無線端末１００は、設定モードで動作している基地局と接続して管理装置に設定要求を送信し、管理装置との間で無線パラメータの設定処理を行う（８１１）。
【０１２５】
また、無線端末１００は、タイマ２０６がタイムアウトする前に、設定モードの報知信号を送信していた基地局が通常モードの報知信号を送信したことを検出すると（８０９でＹＥＳ）、自身の設定モードを終了する（８１２）。なお、無線端末１００は、基地局情報記憶部２０５を参照することにより、設定モードの基地局が通常モードに切り替わり、設定モードを終了したことを判断する。
【０１２６】
以上のように、本実施形態によれば、無線端末からの重複通知を受けなくても、管理装置側で設定モードの重複を判断できる。従って、他の管理装置の探索（９０３）の処理を速やかに開始でき、設定モードを終了するまでの時間を短縮できる。
【０１２７】
なお、管理装置１０２は、スキャン後に（２７００から２７０３）、設定モードの基地局がないと判断した場合に、設定モード開始通知（９０１）を行うようにしてもよい。この場合は、スキャン開始時では基地局１０３は通常モードで動作している為、スキャンの結果、設定モードの基地局が１台でも存在すれば、無線端末１００に対して設定モードの重複通知を行う（２７０５）。また、無線端末は、重複通知を受信すると、自身の設定モードを終了する。
【０１２８】
このようにすることにより、設定モードを終了する場合に、基地局は設定モードの報知信号を無駄に送信しなくてもすむ。
【０１２９】
また、無線端末側でも、設定モードの基地局が複数存在するかどうかを判断し、設定モードの基地局が複数あるにも係らず、重複通知を受信したいままタイマがタイムアウトすると（２６０２）、第１の実施形態のように無線端末から重複通知を行ってもよい。
【０１３０】
このようにすることにより、管理装置及び基地局は、より確実に設定モードを終了することができる。
【０１３１】
上記各実施形態の説明は、ＩＥＥＥ８０２．１１準拠の無線ＬＡＮを例に説明したが、本発明は、ワイヤレスＵＳＢ、ＭＢＯＡ（Ｍｕｌｔｉ  Ｂａｎｄ  ＯＦＤＭ  Ａｌｌｉａｎｃｅ）、Ｂｌｕｅｔｏｏｔｈ（登録商標）等の他の無線媒体において実施してもよい。
【０１３２】
また、上記実施形態の説明では、無線パラメータとしてネットワーク識別子、暗号方式、暗号鍵を例にしたが、認証方式、認証鍵等、他の情報も無線パラメータには含まれるようにしてもよい。
【０１３３】
以上のように、上述した第１から第７の実施形態によれば、管理装置及び基地局は、早期に設定モードを終了することができる。
【０１３４】
また、設定モードの管理装置が複数あった場合でも、設定モードの管理装置が管理する無線パラメータが一致する場合は、無線パラメータ設定を行うことができる。
【０１３５】
よって、無線端末に誤った無線パラメータが設定されてしまう事態の発生を低減できる。
【符号の説明】
【０１３６】
１００  無線端末
１０２  管理装置
１０３  基地局
１０４  無線端末
１０５  基地局
１０６  管理装置
１０７  有線ＬＡＮ
【図１】
0005465228.tif 000002
【図２】
0005465228.tif 000003
【図３】
0005465228.tif 000004
【図４】
0005465228.tif 000005
【図５】
0005465228.tif 000006
【図６】
0005465228.tif 000007
【図７】
0005465228.tif 000008
【図８】
0005465228.tif 000009
【図９】
0005465228.tif 000010
【図１０】
0005465228.tif 000011
【図１１】
0005465228.tif 000012
【図１２】
0005465228.tif 000013
【図１３】
0005465228.tif 000014
【図１４】
0005465228.tif 000015
【図１５】
0005465228.tif 000016
【図１６】
0005465228.tif 000017
【図１７】
0005465228.tif 000018
【図１８】
0005465228.tif 000019
【図１９】
0005465228.tif 000020
【図２０】
0005465228.tif 000021
【図２１】
0005465228.tif 000022
【図２２】
0005465228.tif 000023
【図２３】
0005465228.tif 000024
【図２４】
0005465228.tif 000025
【図２５】
0005465228.tif 000026
【図２６】
0005465228.tif 000027
【図２７】
0005465228.tif 000028